(57)【要約】【課題】表示に関するデザイン上の柔軟性が高められ得るカレンダ機構及び該カレンダ機構を備えた時計（カレンダ機構付時計）の提供。【解決手段】カレンダ機構付時計２のカレンダ機構１は、環状の日文字表示面部２３及び日ジャンパ４０によって躍制される内歯歯車部２２を具備する日車２０と、該日車２０の内歯歯車部２２の歯２４と噛合する歯５４を備え該内歯歯車部２２によって回転される曜星車５２及び環状の曜文字表示面部５３を具備する曜車５０とを有する。巻真が引き出された状態で、一方向Ｄ１に回転されると、日修正車７５を介して日車２０が回転され、曜修正車８５が曜星車５２に対して非噛合状態になる。巻真が他方向Ｄ２に回転されると、曜修正車８５を介して曜車が回転され、日修正車７５が日車歯車部２２に対して非噛合状態になると共に、曜修正車８５と曜星車５２とが噛合状態になる。【選択図】図１
2012008002.tif 000002
【特許請求の範囲】
【請求項１】
環状の日文字表示面部及び日ジャンパによって躍制される内歯歯車部を具備する日車と、
該日車の内歯歯車部の歯と噛合する歯を備え該内歯歯車部によって回転される曜星車及び環状の曜文字表示面部を具備する曜車と
を有するカレンダ機構。
【請求項２】
日車の内歯歯車部が、日回し車によって回転されるように構成された請求項１に記載のカレンダ機構。
【請求項３】
巻真が引き出された状態において、巻真が一方の向きに回転された際に、日修正伝え車及び日修正車を介して該日車が回転されるように構成された請求項１又は２に記載のカレンダ機構。
【請求項４】
巻真が引き出された状態において、巻真が他方の向きに回転される際、曜修正車を介して曜車が回転されるように構成された請求項３に記載のカレンダ機構。
【請求項５】
巻真が引き出された状態において、巻真が前記一方の向きに回転された際に、曜修正車の歯が曜星車の歯に対して非噛合状態に設定されるように構成された請求項３に記載のカレンダ機構。
【請求項６】
巻真が引き出された状態において、巻真が前記他方の向きに回転される際、日修正車の歯が日車の内歯歯車部に対して非噛合状態に設定されると共に、曜修正車の歯と曜星車の歯とが噛合状態に設定されるように構成された請求項５に記載のカレンダ機構。
【請求項７】
曜車の曜星車の歯が正転方向の回転力と比較して逆転方向の回転力が伝達され難い形状を備え、日車の回転を案内する日車ガイドが、日車の径方向の位置ズレを許容する遊びをもって日車を支持している請求項１から６までのいずれか一つの項に記載のカレンダ機構。
【請求項８】
文字板のうち日車の回転中心の近傍に曜日表示する曜表示窓が形成されている請求項１から７までのいずれか一つの項に記載のカレンダ機構。
【請求項９】
請求項１から８までのいずれか一つの項に記載のカレンダ機構を備えたカレンダ機構付時計。
【請求項１０】
小針表示部を具備する請求項９に記載のカレンダ機構付時計。
【発明の詳細な説明】
【技術分野】
【０００１】
本発明はカレンダ機構及び該カレンダ機構を備えた時計（カレンダ機構付時計）に係る。
【背景技術】
【０００２】
時計において、環状の日文字表示面部を備えた日車と環状の曜文字表示面部を備えた曜車とを含むカレンダ機構は、古くから知られている（比較的最近の例としては、例えば、特許文献１）。この特許文献１に示されているような従来のカレンダ機構では、通常、日車が二番中心の如き文字板の中心のまわりで回転され、曜車も日車の回転中心軸線に一致する軸線のまわりで回転するように構成されている。
【０００３】
従って、曜車の環状の曜文字表示面部により曜日を表示する領域（曜窓）は、日車の環状の日文字表示面部により曜日を表示する領域（日窓）に対して、日車および曜車の回転中心を中心として、典型的には径方向外側または径方向内側に位置する等、その表示ないし配置に関するデザイン上のバリエーションが制限される。
【先行技術文献】
【特許文献】
【０００４】
【特許文献１】特開平８−１３６６６６号公報
【発明の概要】
【発明が解決しようとする課題】
【０００５】
本発明は、前記した点に鑑みなされたものであって、その目的とするところは、表示に関するデザイン上の柔軟性が高められ得るカレンダ機構及び該カレンダ機構を備えた時計（カレンダ機構付時計）を提供することにある。
【課題を解決するための手段】
【０００６】
本発明のカレンダ機構は、前記目的を達成すべく、環状の日文字表示面部及び日ジャンパによって躍制される内歯歯車部を具備する日車と、該日車の内歯歯車部の歯と噛合する歯を備え該内歯歯車部によって回転される曜星車及び環状の曜文字表示面部を具備する曜車とを有する。
【０００７】
本発明のカレンダ機構では、「曜車が曜星車で日車の内歯歯車部の歯と噛合し該内歯歯車部によって回転される」、すなわち、「環状の曜文字表示面部を備えた曜車が日車によって（直接）回転される」ので、曜車の環状の曜文字表示面部による曜日を表示する領域（曜窓）は、日車の環状の日文字表示面部による曜日を表示する領域（日窓）に対して文字板の径方向外側または径方向内側に限られず、実際上相互に所望の位置に配置され得るから、表示に関するデザイン上の柔軟性が高められ得る。また、「環状の曜文字表示面部を備えた曜車が日車によって（直接）回転される」ので、曜星車が日車の回転中心軸線とは異なるところに回転中心を有することになるから、日車が通常通り文字板の中心の回転中心を有する場合には、曜星車を含む曜車は文字板の一部の領域に偏在した状態に配置され得る故、小針表示その他の表示を含めて表示に関するデザイン上の柔軟性が高められ得る。
【０００８】
なお、曜車の大きさやの曜文字表示面部の大きさが所望に応じて大きくされ得る（日文字表示面部と概ね同程度に大きい状態と日文字表示面部と比較してその数分の１以下になるような小さい状態との間の所望の大きさにされ得る）から、日窓及び曜窓が所望の相対配置に設定され得、所望のデザインでの表示が行われ得る。
【０００９】
本発明のカレンダ機構では、典型的には、日車の内歯歯車部が、日回し車によって回転されるように構成されている。
【００１０】
従って、通常運針の際には、筒車の回転に伴う日回し中間車の回転に応じた日回し車の回転に従って、該日回し車の日回し爪により、日車が回転されて日付が進む。なお、該日車の回転に応じて、該日車の歯車部により曜星車が直接回転されて曜車が回転され、曜日も進む。
【００１１】
なお、日車の内歯歯車部（日車歯車部）及び曜車の曜星車部に対しては、その各歯車部に対して躍制動作を行う日ジャンパ及び曜ジャンパが設けられ、該日ジャンパ及び曜ジャンパが躍制動作を行うごとに、日付及び曜日が概ね間欠的に切替えられる。
【００１２】
本発明のカレンダ機構では、典型的には、巻真が引き出された状態において、巻真が一方の向きに回転された際に、日修正伝え車及び日修正車を介して該日車が回転されるように構成される。
【００１３】
ここで、日修正伝え車の配置や数は回転方向及び経路の長さを考慮して適宜選択され得る。従って、日修正の容易さは、従来と同様である。
【００１４】
本発明のカレンダ機構では、典型的には、巻真が引き出された状態において、巻真が他方の向きに回転される際、曜修正車を介して曜車が回転されるように構成される。
【００１５】
ここで、曜修正伝え車の配置や数は回転方向及び経路の長さを考慮して適宜選択され得る。その場合、曜修正も容易に行われ得る。
【００１６】
本発明のカレンダ機構では、典型的には、巻真が引き出された状態において、巻真が前記一方の向きに回転された際に、曜修正車の歯が曜星車の歯に対して非噛合状態に設定されるように構成される。
【００１７】
その場合、日修正の際に回転する日車自体によって曜車が回転されて、日修正と同時に曜修正が行われ得る。
【００１８】
本発明のカレンダ機構では、典型的には、巻真が引き出された状態において、巻真が前記他方の向きに回転される際、日修正車の歯が日車の内歯歯車部に対して非噛合状態に設定されると共に、曜修正車の歯と曜星車の歯とが噛合状態に設定されるように構成される。
【００１９】
その場合、日修正を行うことなく曜修正のみを行い得る。
【００２０】
本発明のカレンダ機構では、典型的には、曜車の曜星車の歯が正転方向の回転力と比較して逆転方向の回転力が伝達され難い形状を備え、日車の回転を案内する日車ガイドが、日車の径方向の位置ズレを許容する遊びをもって日車を支持している。
【００２１】
その場合、日車が日回し車や日修正車による回転力を受けていない状態で、曜修正車から曜車に回転力が加えられた場合、該曜修正車からの回転力に従って曜星車が回転される際に曜星車の歯が日車の内歯歯車に多少なりとも当たるけれども、「日車の回転を案内する日車ガイドが、日車の径方向の位置ズレを許容する遊びをもって日車を支持している」ので、日車が逃げ得るから、曜星車は、日車を回転させることなく回転され得る。
【００２２】
このような日車と曜車との関係が可能になるのは、
（１）日車の内歯歯車と曜車の曜星車とが直接噛合しており、
（２）日車ガイドが日車の径方向の位置ズレを許容する遊びをもって日車を支持しており、
（３）曜車の曜星車の歯が正転方向の回転力と比較して逆転方向の回転力が伝達され難い形状（回転方向に依存する非対称な形状）を備える
ことによる。
【００２３】
本発明のカレンダ機構では、典型的には、文字板のうち日車の回転中心の近傍に曜日表示する曜表示窓が形成されている。
【００２４】
その場合、従来とは、全く異なるデザインでのカレンダ表示が可能になる。
【００２５】
本発明のカレンダ機構付時計は、前記目的を達成すべく、上述のようなカレンダ機構を備える。
【００２６】
ここで、本発明のカレンダ機構は、例えば、小針表示部を具備する。
【００２７】
その場合、カレンダ表示が全く異なり得るだけでなく、所望デザインでの小針による各種情報の表示も可能である。ここで、小針表示としては、例えば、クロノグラフ表示や２４時表示等を含み得、また、パワーリザーブ表示その他の表示を行い得るようになっていてもよい。
【図面の簡単な説明】
【００２８】
【図１】本発明の好ましい一実施例のカレンダ機構を備えた本発明の好ましい一実施例のカレンダ機構付時計の概要を示した平面説明図。
【図２】図１のカレンダ機構付時計の通常運針状態において、日回し車が日車を回し日車が曜車を回している状態を示した平面説明図。
【図３】図１のカレンダ機構付時計において、巻真を一段引き出した状態で、巻真を右回りにまわして、日修正車を介して日車を回して日修正を行うと共に、該日車によって曜車を回して曜修正を行っている状態を示した平面説明図。
【図４】図１のカレンダ機構付時計において、巻真を一段引き出した状態で、巻真を左回りにまわして、日車を回すことなく、曜修正車を介して曜車を回して曜修正を行っている状態を示した平面説明図。
【図５】図４の曜修正状態において、曜星車の回転の際に該曜星車の歯を避けるように日車が遊び分だけ逃げて、日修正を行うことなく曜修正を可能にした状況を示した一部拡大平面説明図。
【図６】図４及び図５のカレンダ機構において、日車を遊びをもって支持する日車ガイドの構造を示した平面説明図。
【図７】図１に示したカレンダ機構を備えた図１のカレンダ機構付時計のコンプリートの状態を文字板側から見た平面説明図。
【図８】本発明の変形例のカレンダ機構を備えた本発明の変形例のカレンダ機構付時計の平面説明図。
【発明を実施するための形態】
【００２９】
本発明の好ましい一実施の形態を添付図面に示した好ましい一実施例に基づいて説明する。
【実施例１】
【００３０】
本発明の好ましい一実施例のカレンダ機構１を備えたカレンダ機構付時計２は、例えば、図７に示したような外観を有する。
【００３１】
即ち、カレンダ機構付時計２は、時刻表示のために中心軸線Ｃのまわりで回る時針１１、分針１２及び秒針１３を備えると共に、文字板４の外周縁部近傍で且つ３時の位置Ｐｅ３の日窓Ｗｄを介して、日付Ｄｄを表示し、文字板４の中心軸線Ｃの近傍の位置Ｐｉの曜窓Ｗｗを介して、曜日Ｄｗを表示する。図７の例では、曜窓Ｗｗは、時計２の１２時の側、より詳しくは、文字板４の中心軸線Ｃの近傍で且つ１２時の位置Ｐｉ１２にある。
【００３２】
後で詳述するように、時計２では、通常運針に伴う日替わりの際に、日付Ｄｄが一日進むと共に曜日が一つだけ進む。また、後で詳述するように、時計２において、日付Ｄｄを修正する日付・曜日修正処理を行う場合には、竜頭５ａを介して巻真５をＢ１方向に一段引き出して中心軸線Ｄのまわりで右回りＤ１に回す。このとき、日付Ｄｄだけでなく曜日Ｄｗも同時に修正される。更に、後で詳述するように、時計２において、日付Ｄｄを修正することなく曜日だけを修正する日付修正処理を行う場合には、巻真５をＢ１方向に引き出して中心軸線Ｄのまわりで左回りＤ２に回す。なお、曜日Ｄｗを変えることなく日付Ｄｄのみを修正したい場合には、上記の日付・曜日修正処理及び日付修正処理の両方を組合わせることになる。
【００３３】
時計２は、図１に大まかに示したように、筒車１５を含む通常運針輪列６に加えて、カレンダ機構１を備える。
【００３４】
時計２では、通常運針輪列６の動作に従って、図示しない秒車及び分車や筒車１５の回転が生じて、秒針１３、分針１２及び時針１１が時計回りに回転する。筒車１５は、日回し中間車１６を介して日回し車１７につながり、筒車１５が時計回りＣ１に二回転するごとに日回し爪１８を備えた日回し車１７がＦ１方向に一回転する。
【００３５】
時計２は、更に、日車２０と、曜車５０と、日修正輪列７０と、曜修正輪列８０とを有する。
【００３６】
日車２０は、回転中心軸線Ｃのまわりで回転可能に配置された環状体２１と、該環状体２１の厚さ方向にずれた位置において段差部を介して該環状体２１の内周縁につながった日車歯車部２２と、環状体２１の文字板４側の主面部からなる日付表示面部ないし日文字表示面部２３とを有する。環状の日文字表示面部２３には１〜３１までの日付Ｄｄ（図７参照）が、反時計回りＣ２に表示されている。図１において符号１９は日車押さえである。
【００３７】
内歯歯車の形態の日車歯車部２２は、中心軸線Ｃのまわりで一方向（文字板４側から見て時計回り）Ｃ１に回転されるように一方向に向いた３１個の歯部２４を有する。日車２０のＣ１方向の回転は、日車歯車部２２の隣接歯部２４ａ，２４ｂ間において躍制動作する躍制爪部４１を備えた日ジャンパ４０によって規正される。躍制爪部４１は概ね７時〜７時半の位置においてばね４２によって半径方向外向きＨ１に歯部２４に向かって弾性的に押付けられる。
【００３８】
日車２０は、時計２の地板３０上に載置され、図６に示したように、概ね中心軸線Ｃのまわりで回転されるように、地板３０の案内突起部３１，３２，３３，３４によって、案内される。すなわち、案内突起部３１，３２，３３，３４は、外周面３１ａ，３２ａ，３３ａ，３４ａが概ね一つの円の一部をなすように配置され、該外周面３１ａ，３２ａ，３３ａ，３４ａにおいて、日車歯車部２２の３１個の歯２４の先端部ないし内周端部２５に当接して、日車２０のＣ１方向回転を案内する。
【００３９】
より詳しくは、案内突起部３１，３２，３３，３４は、夫々、時計２の概ね１時半の位置Ｐｇ１、概ね３時半の位置Ｐｇ２、概ね５時半の位置Ｐｇ３、及び概ね８時半の位置Ｐｇ４に位置し、例えば、図６に示したように、日ジャンパ４０の躍制爪部４１が時計２の概ね７時〜７時半の位置において日車歯車部２２の歯部２４，２４間に弾性的に押付けられた際に、概ね直径方向の反対側にある案内突起部３１，３２の外周面３１ａ，３２ａに日車歯車部２２の歯部２４の先端部２５が押付けられる一方で、日ジャンパ４０の躍制爪部４１の近傍に位置する案内突起部３３，３４と日車歯車部２２の歯部２４との間には、相当程度の大きさの間隙Ｇ１，Ｇ２が形成される。即ち、案内突起部３１，３２，３３，３４は、それらの外周面３１ａ，３２ａ，３３ａ，３４ａによって厳密な円を規定するのではなくて、相当程度の大きさの間隙Ｇ１，Ｇ２をもって、円を形成して、日車２０の日車歯車部２２の歯２４の先端部２５を案内し、日車２０が、案内突起部３１，３２，３３，３４に対して、例えば概ね１２時の方向Ｋに、相対変位される余地が残っている。
【００４０】
以上において、日ジャンパ４０の躍制爪部４１の近傍に位置する案内突起部と日車歯車部２２の歯部２４との間に相当程度の大きさの間隙が形成され得る限り、案内突起部の数や相対配置は異なっていてもよい。
【００４１】
時計２のカレンダ機構１は、更に、図１に示したように、時計２の１２時の位置に、曜車５０を備える。曜車５０は、１２時の位置にある回転中心軸線Ｍのまわりで回転可能に配置された円板状体５１と、該円板状体５１の中央部で且つ時計２の厚さ方向に見て該円板状体５１の裏蓋側に位置する曜星車部５２と、円板状体５１の文字板４側の環状主面部からなる曜文字表示面部５３とを有する。環状の曜文字ないし曜文字表示面部５３には日曜（ＳＵＮ）から土曜（ＳＡＴ）までの曜日Ｄｗ（図７参照）が、反時計回りＭ２に表示されている。曜星車部５２は、一方向に回転されるように非対称な形状を備えた七つの歯部５４を備え、日車２０がＣ１方向に回転される際に、該歯部５４で該日車２０の日歯車部２２の歯部２４と噛合してＭ１方向に回転される。曜星車５２の歯部５４，５４には、曜ジャンパ６０の躍制爪部６１がばね６２によって押付けられて、曜星車５２の回転を躍制している。曜車５０が曜星車５２の一歯ずつＭ１方向に間欠回転される際に、曜車５０の表示面部５３に表示された曜日Ｄｗが文字板４の中心軸線Ｃの近傍にある曜窓Ｗｗを介して表示される。すなわち、各歯部５４は、概ね径方向に延びた力受面５５と概ね周方向に延びた逃げ面５６とを有し、力受面５５でＭ１方向の力を受けた場合には該外力に従ってＭ１方向に回転され、力逃げ面５６にＭ２方向の抵抗を受けても、該抵抗の影響は小さい。
【００４２】
より詳しくは、図５に示したように、日車２０が回転されていない状態で曜車５０がＭ１方向に回転される場合には、曜車５０の曜星車５２の歯部５４が非対称に周方向に逃げた面５６で日車２０の歯車部２２の歯２４をＣ１方向に押すと、日車２０が、間隙Ｇ１，Ｇ２等を介して地板５の日車案内部３１，３２，３３，３４によって支持されているので、日車２０が間隙Ｇ１，Ｇ２の分だけ想像線２０ｉ，２２ｉ，２４ｉで示したように、概ね１２時の方向にＨ１方向に逃げるので、曜車５０の曜星車部５２の歯部５４と日車２０の歯車部２２の歯部２４との係合が外れて、曜星車５２だけがＭ２に回転（日車２０を回すことなく空転）され得る。
【００４３】
巻真５には、つづみ車７が嵌合され、巻真５をＢ１方向に引き出すと、該つづみ車７が巻真５に回転自在に嵌合された第一日修正伝え車７１に噛合って、巻真５のＤ１，Ｄ２方向回転をつづみ車７を介して第一日修正伝え車７１に伝えるように構成されている。
【００４４】
日修正輪列７０は、第一日修正伝え車７１に加えて、該第一日修正伝え車７１と噛合した第二日修正伝え車７２、該車７２と噛合した第三日修正伝え車７３、該車７３と噛合した第四日修正伝え車７４及び該車７４と噛合した日修正車７５を有する。
【００４５】
日修正車７５は、円弧状穴７６に沿ってＮ１，Ｎ２方向に揺動可能な軸７７を備える。第四日修正伝え車７４がＱ１方向に回転されると、日修正車７５は、Ｎ１方向に揺動されて、日車２０の日車歯車部２２と噛合い、第四日修正伝え車７４のＱ１方向回転に応じて軸７７のまわりでＲ１方向に回転されて、日車２０をＣ１方向に回転させる。
【００４６】
一方、第四日修正伝え車７４がＱ２方向に回転されると、日修正車７５は、Ｎ２方向に揺動されて、日修正車７５と日車２０の日車歯車部２２との噛合が解除され、第四日修正伝え車７４のＱ２方向回転に応じて日修正車７５が軸２２のまわりでＲ２方向に空転される。
【００４７】
曜修正輪列８０は、第二日修正伝え車７２に噛合した第一曜修正伝え車８１、該車８１と噛合した第二曜修正伝え車８２及び該８２と噛合した曜修正車８５を有する。
【００４８】
曜修正車８５は、円弧状穴８６に沿ってＴ１，Ｔ２方向に揺動可能な軸８７を備え、曜修正車８５の一方の主面ないし表面８８のうち軸８７と第二曜修正伝え車８２との噛合歯部８５ａとの間の部位８９には、時計２の厚さ方向に（図１の面に垂直な方向に）揺動押さえばね８３の押圧力が加えられている。揺動押さえばね８３の作用下で、第二曜修正伝え車８２がＵ１方向に回転されて曜修正車８５の噛合歯部８５ａがＶ１方向に回動されると、部位８９が支点になるように揺動押さえばね８３によって支持された曜修正車８５は、支点８９のまわりでＴ１方向に揺動されて、曜修正車８５と日車２０の日車歯車部２２との係合が完全に解除される。従って、Ｃ１方向に回転される該日車２０の日車歯車部２２と噛合した曜星車５２がＭ１方向に回転されて、曜車５０による曜日の表示が修正される。
【００４９】
一方、揺動押さえばね８３の作用下で、第二曜修正伝え車８２がＵ２方向に回転されると、支点８９で揺動押さえばね８３によって支持された曜修正車８５の軸８７がＴ２方向に揺動されて、曜星車５２と噛合し、第二曜修正伝え車８２のＵ２方向回転に伴う曜修正車８５の軸８７のまわりでのＶ２方向回転に応じて、曜星車５２がＭ１方向に回転され、曜日の修正が行われる。このとき、曜車５０の曜星車５２の歯５４が一方向に向いた非対称形状を有し、且つ日車２０が間隙Ｇ１，Ｇ２のある状態で案内部３１，３２，３３，３４によって案内されるので、日車２０の回転に影響を与えることなく、該曜星車５２ないし曜車５０のＭ１方向回転が許容されることになる。
【００５０】
日修正輪列７０及び曜修正輪列８０は、夫々が所定の動作（所定の回転方向でのトルク伝達や空転）をし得る限り、各輪列７０，８０を構成する車の数や配置や構造は異なっていてもよく、また、輪列７０，８０相互のつながり等も異なっていてもよい。
【００５１】
次に、以上の如く構成されたカレンダ機構１を備えた時計２のカレンダ表示の動作や該カレンダ表示の修正操作及び動作について、図１並びに図５〜図７に加えて、図２〜図４を参照して、より詳しく説明する。
【００５２】
カレンダ機構付時計２が通常運針状態にある場合、午後１２時に近づくと時針１１が取付けられた筒車１５が所定回転位置に近づくので、該筒車１５の回転に応じて、日回し中間車１６を介して回転される日回し車１７の日回し爪１８が日車２０の日車歯車部２２の隣接する歯部２４に係合して、日ジャンパ４０の躍制力に抗して日車２０を時計回りＣ１に回し始める。日車２０は、該Ｃ１方向回転に伴い日車歯車部２２に曜星車部５２で噛合した曜車５０をＭ１方向に回転させ始める。午後１２時（午前０時）になると、日ジャンパ４０の躍制爪部４１が日車歯車部２２の歯部２４の頂点を乗り越えて、日車２０の次の歯部２４ａ，２４ｂの間に落ち込むように日車２０をＣ１方向に回して、日車２０をその回転位置で規正する。これにより、文字板４の日窓Ｗｄ内に位置して表示される日付Ｄｄが一つ（一日分）だけ進む。一方、日車２０の該回転に応じて曜星車５２が回転され、曜ジャンパ６０の躍制爪部６１も曜星車５２の次の歯部５４，５４の間に落ち込むように曜星車５２をＭ１方向に回して、曜車５０をその回転位置で規正する。これにより、文字板４の曜窓Ｗｗ内に位置して表示される曜日Ｄｗも一つ（一日分）だけ進む。なお、この例では、日窓Ｗｗは、例えば、３時の位置にある。なお、この時計２では、カレンダ機構１の曜車５０の曜星車５２が日車２０の内歯歯車部２２に直接噛合しているので、曜車５０の曜文字表示面部５３は、例えば、中心軸線Ｃと文字板４の１２時の位置との間の領域内で回転されるから、曜文字表示面部５３の一部が文字板４の中心軸線Ｃの近傍に達した際に曜日が表示されるようにしておくことにより、曜日Ｄｗが、文字板４の中心軸線Ｃの近傍で１２時の位置Ｐｉ１２にある曜窓Ｗｗで表示され得る。
【００５３】
その結果、図７からわかるように、日付Ｄｄと曜日Ｄｗとが相互に離れたところで、しかも一方が回転中心Ｃから離れたところで他方が回転中心Ｃの近傍で表示される。
【００５４】
一方、日付Ｄｄ及び曜日Ｄｗの両方を同時に修正する場合には、図３に示したように、巻真５をＢ１方向に引出した状態で、巻真５を右回りＤ１に回す。なお、図３では、見易さのために、筒車１５から日送り中間車１６を介して日回し車１７に至る通常運針時のカレンダ表示変更経路は示されていない。
【００５５】
この場合、Ｂ１方向に引き出された状態で巻真５を回すことから、巻真５の回転に伴いつづみ車７を介して第一日修正車７１が回転する。より詳しくは、巻真５のＤ１方向回転に伴なう第一日修正伝え車７１のＤ１方向回転に応じて第二日修正伝え車７２がＪ２１方向に回転され、第三日修正伝え車７３がＪ３１方向に回転され、第四日修正伝え車７４がＱ１方向に回転される。従って、日修正車７５の軸７７がＮ１方向に揺動されて、日修正車７５が日車歯車部２２に噛合い、第四日修正伝え車７４のＱ１方向回転に応じた日修正車７５のＲ１方向回転によって日車歯車部２２がＣ１方向に回転され、日車２０の日文字表示面部２３もＣ１方向に回って、日窓Ｗｄ内に表示される日付Ｄｄが日ジャンパ４０によって躍制された日車歯車部２２の一歯分すなわち一日分だけ進む。なお、日車２０のＣ１方向回転に伴い、日車２０の歯車部２２と曜星車５２で噛合した曜車５０も、Ｍ１方向に回転され、曜窓Ｗｗ内に表示される曜日Ｄｗが曜ジャンパ６０によって躍制された曜星車５２の一歯分すなわち一曜日分（一日分）だけ進む。
【００５６】
ここで、典型的には曜ジャンパ６０の躍制動作が完了した後に曜車５０の曜星車５２を回転駆動している日車２０に対する日ジャンパ６０の躍制動作が完了する。但し、日ジャンパ４０の爪部４１が日車歯車部２２の歯２４の頂点を乗り越ええた後で該日ジャンパ４０の爪部４１が所望ならば、日車歯車部２２の次の隣接歯部２４，２４の間に落ち込む規正動作が進行する際に日車歯車部２２が曜星車５２を強制回転させて曜ジャンパ６０の爪部６１先端部に曜星車５２の歯部５４の頂点を越えさせ得る限り、日ジャンパ４０の躍制動作が完了した後に曜ジャンパ６０の躍制動作が完了するようになっていてもよい。なお、この時計２のカレンダ機構１では、日ジャンパ４０が躍制動作を行う日車歯車部２２の歯２４と曜ジャンパ６０が躍制動作を行う曜星車５２の歯５４とが直接噛合し中間の輪列を介さないので、トルクの伝達ロスが生じないから、両ジャンパ４０，６０の躍制動作の相対的なタイミングに関する自由度は高い。
【００５７】
なお、第二日修正伝え車７２のＪ２１方向回転に伴い曜修正輪列８０を構成する第一曜修正伝え車８１がＬ１方向に回転され、第二曜修正伝え車８２がＵ１方向に回転され、これに応じて、揺動押さえばね８３で押えられた曜修正車８５は支点８９のまわりでＴ１方向に揺動されて、曜星車５２に対して非係合状態に位置決めされる。その結果、第二曜修正伝え車８２のＵ１方向回転に応じて曜修正車８５がＶ１方向に回転されるけれども、曜修正車８５の回転は曜星車５２には伝わらず、曜修正車８５はＶ１方向に空転される。この場合、曜星車５２は、上述の通り、日車歯車部２２のＣ１方向回転に応じてＭ１方向に回転される。
【００５８】
また、日付Ｄｄを変更することなく曜日Ｄｗだけを修正する場合には、図４に示したように、巻真５をＢ１方向に引出した状態で、巻真５を左回りＤ２に回す。この図４でも日回し車１７等は図示されていない。
【００５９】
この場合も、Ｂ１方向に引き出された状態で巻真５を回すことから、巻真５の回転に伴いつづみ車７を介して第一日修正車７１が回転する。より詳しくは、巻真５のＤ２方向回転に伴なう第一日修正伝え車７１のＤ２方向回転に応じて第二日修正伝え車７２がＪ２２方向に回転され、第三日修正伝え車７３がＪ３２方向に回転され、第四日修正伝え車７４がＱ２方向に回転される。従って、日修正車７５の軸７７がＮ２方向に揺動されて、日修正車７５が日車歯車部２２に対して非係合状態になる。したがって、巻真５のＤ２方向回転に伴う第四日修正伝え車７４のＱ２方向回転により日修正車７５はＲ２方向に回転されるけれども、日修正車７５はＲ２方向に空転する。すなわち、日修正車７５のこのＲ２方向回転は日車２０の歯車部２２には伝えられず、日付Ｄｄの表示は変わらない。
【００６０】
一方、第二日修正伝え車７２のＪ２２方向回転に伴い曜修正輪列８０を構成する第一曜修正伝え車８１がＬ２方向に回転され、第二曜修正伝え車８２がＵ２方向に回転され、これに応じて、揺動押さえばね８３で押えられた曜修正車８５は支点８９のまわりでＴ２方向に揺動されて、曜星車５２に噛合する。その結果、第二曜修正伝え車８２のＵ２方向回転に応じた曜修正車８５のＶ２方向回転が曜星車５２に伝達されて、曜星車５２がＭ１方向に回転される。従って、曜窓Ｗｗ内に表示される曜日Ｄｗが修正される。
【００６１】
なお、曜星車５２のこのＭ１方向回転に伴い曜星車５２の歯５４は、大きく傾斜した側縁５６で日車２０の歯車部２２の歯２４と係合する。しかしながら、曜星車５２の歯５４の側縁５６が大きく傾斜していて日車２０の歯車部２２の歯２４に対してトルクを付与するよりも該歯２４を径方向外向きに押し出す働きが強く、且つ曜星車５２に対して概ね直径方向反対側に位置する案内突起部３３，３４（図６）と日車２０の日車歯車部２２の歯２４との間に比較的大きな間隙Ｇ１，Ｇ２（図６）があるように案内突起部３３，３４が形成されていることから、図５に示したように、曜星車５２のＭ１方向回転により、日車２０の日車歯車部２２がＨ１方向に逃げ、曜星車５２はその回転を日車歯車部２２に伝えることなくＭ１方向に空転する。従って、曜車５０の回転に伴う曜日Ｄｗの表示変更（曜修正）が行われる一方で、日車２０は回転されないから、日付Ｄｄの表示変更（日修正）は行われない。
【００６２】
以上のとおり、この時計２では、カレンダ機構１の曜星車５２が日車２０の歯車部２２に噛合して該歯車部２２によって直接回転されるように構成されているので、曜車５０が日車２０に対して非同心状に配置されるから、日窓Ｗｄと曜窓Ｗｗとを相互に離れたところに形成し易いから、デザイン上の自由度が増し、例えば、曜窓Ｗｗが中心軸線Ｃの近傍に形成され得る。また、日車２０が間隙Ｇ１，Ｇ２を介して案内支持され且つ曜車５０の歯車（曜星車）５２の歯５４を非対称に形成しておくことにより、日車２０の歯車部２２に対して曜車５０の歯車部５２が空回りするようにし得、これにより、曜日Ｄｗのみを変更することも容易に行い得る。
【００６３】
以上においては、揺動押さえばね８３によって曜修正車８５の揺動方向を制御する例について説明したけれども、揺動押さえばね８３を用いる代わりに、日修正車７５と第四日修正伝え車７４との相対配置のように、曜修正車８５と第二曜修正伝え車８２との相対配置を変えて、曜修正車８５の揺動方向を決定するようにしてもよい。なお、所望ならば、日修正車７５の揺動方向も揺動押さえばね８３と同様であるけれども日修正車７５の中心よりも更に第四日修正伝え車７４から離れたところ（図３において例えば符号７９ｉで示した部位）を抑える別の揺動押さえばねを用いてもよい。
【００６４】
上述のように、曜星車５２が日車歯車２２によって直接回転される場合には、曜車５０の回転中心軸線Ｍが日車２０の回転中心軸線Ｃからずれたところに位置し、曜車５０の操作領域が文字板４の一部の領域に限られることから、文字板４の他の領域を利用した小針表示が可能になる。
【００６５】
従って、図１から図６に示した構造を備えた日車２０及び日ジャンパ４０、曜車５０及び曜ジャンパ６０、日修正輪列７０並びに曜修正輪列８０を具備するカレンダ機構を有する時計は、例えば、図８に示したようなカレンダ機構付時計２Ａのような形態のものでもよい。図８のカレンダ機構付時計２Ａにおいて、図１〜図６のカレンダ機構付時計２と同じ部材や要素には同一の符号が付され、対応するけれども異なるところのある部材や要素には対応する符号の後に添字Ａが付されている。
【００６６】
図８のカレンダ機構付時計２Ａでは、該カレンダ機構付時計２Ａのカレンダ機構１Ａを構成する文字板４Ａの日窓ＷｄＡが３時の位置の代わりに四時半の位置Ｐｅ４５にある点を除き、図１〜図６に示したカレンダ機構１と同様に構成されている。例えば、カレンダ機構１Ａの文字板４Ａは、カレンダ機構１の文字板４と同じ位置に曜窓Ｗｗを備える。
【００６７】
また、カレンダ機構付時計２Ａは、図８からわかるように、例えば、更に、クロノグララフ秒針９１によるクロノグラフ秒表示用目盛９２、クロノグラフ分針９３によるクロノグラフ分表示用目盛９４、及び２４時針９５による２４時表示用目盛９６を、夫々小針表示として備える。９７はクロノグラフ機構のスタート／ストップボタン、９８はクロノグラフ機構のリセットボタンである。図８の例では、時計２Ａはクロノグラフ機構を更に備え、また、２４時表示が可能になっている。
【００６８】
なお、２４時針の代わりに、例えば、クロノグラフ時の表示が行われるようになっていてもよく、また、中央の針によって「秒」の代わりに「クロノグラフ秒」を表示し、６時の位置の針によって「クロノグラフ秒」の代わりに「秒」を表示する等、異なる量の表示するようになっていてもよい。
【００６９】
以上の例では、曜車５０の回転中心Ｄが１２時の位置ないし側にある例について説明したけれども、曜星車５２が日車歯車部２２に直接噛合う限り、曜星車５２と日車歯車部２２とが噛合う箇所は他のどの位置でもよい。その場合、該噛合い箇所の位置に応じて、日車案内用の突起部３１，３２，３３，３４と日車歯車部２２との間に間隙Ｇ１，Ｇ２ができる位置及び日ジャンパ４０の爪部４１が日車歯車部２２を躍制する位置も異なったところになる。
【符号の説明】
【００７０】
１，１Ａ  カレンダ機構
２，２Ａ  カレンダ機構付時計
４，４Ａ  文字板
５  巻真
５ａ  竜頭
６  通常運針輪列
７  つづみ車
１１  時針
１２  分針
１３  秒針
１５  筒車
１６  日回し中間車
１７  日回し車
１８  日回し爪
１９  日車押さえ
２０  日車
２０ｉ  日車の仮想変位位置
２１  環状体
２２  日車歯車部
２２ｉ  日車歯車部の仮想変位位置
２３  日文字表示面部
２４  歯部
２４ｉ  歯部の仮想変位位置
２４ａ，２４ｂ  隣接歯部
２５  歯の先端部（内周端部）
３０  地板
３１，３２，３３，３４  案内突起部
３１ａ，３２ａ，３３ａ，３４ａ  案内突起部の外周面
４０  日ジャンパ
４１  躍制爪部
４２  ばね
５０  曜車
５１  円板状体
５２  曜星車部
５３  曜文字表示面部
５４  歯部
５５  力受面
５６  逃げ面
６０  曜ジャンパ
６１  躍制爪部
６２  ばね
７０  日修正輪列
７１  第一日修正伝え車
７２  第二日修正伝え車
７３  第三日修正伝え車
７４  第四日修正伝え車
７５  日修正車
７６  円弧状穴
７７  軸
７９ｉ  仮想押圧部位
８０  曜修正輪列
８１  第一曜修正伝え車
８２  第二曜修正伝え車
８３  揺動押さえばね
８５  曜修正車
８５ａ  噛合歯部
８６  円弧状穴
８７  曜修正車の回転軸
８８  表面（主面）
８９  曜修正車の主面のうち軸と噛合歯部との間の部位
９１  クロノグララフ秒針
９２  クロノグラフ秒表示用目盛
９３  クロノグラフ分針
９４  クロノグラフ分表示用目盛
９５  ２４時針
９６  ２４時表示用目盛
９７  スタート／ストップボタン
９８  リセットボタン
Ｂ１  引出方向
Ｃ  回転中心軸線
Ｃ１  時計回りの回転方向
Ｃ２  反時計回りの回転方向
Ｄ  中心軸線
Ｄ１  右回り（回転方向）
Ｄ２  左回り（回転方向）
Ｄｄ  日付
Ｄｗ  曜日
Ｆ１  日回し車の回転方向
Ｇ１，Ｇ２  間隙
Ｊ２１，Ｊ２２  第二日修正伝え車の回転方向
Ｊ３１，Ｊ３２  第三日修正伝え車の回転方向
Ｈ１  半径方向外向き
Ｋ  概ね１２時の方向
Ｌ１，Ｌ２  第一曜修正伝え車の回転方向
Ｍ  曜車の回転中心軸線
Ｍ１  曜星車の回転方向
Ｍ２  反時計回りの方向
Ｎ１，Ｎ２  日修正車の回転軸の揺動方向
Ｐｅ３  外周縁近傍の３時の位置
Ｐｅ４５  外周縁近傍の四時半の位置
Ｐｇ１，Ｐｇ２，Ｐｇ３，Ｐｇ４  案内突起部の位置
Ｐｉ  中心軸線の近傍の位置
Ｐｉ１２  中心軸線の近傍で１２時の位置
Ｑ１，Ｑ２  第四日修正伝え車の回転方向
Ｒ２  日修正車の空転方向
Ｔ１，Ｔ２  曜修正車の軸の揺動方向
Ｕ１，Ｕ２  第二曜修正伝え車の回転方向
Ｖ１，Ｖ２  第二曜修正車の回転方向
Ｗｄ，ＷｄＡ  日窓
Ｗｗ  曜窓
【図１】
2012008002.tif 000003
【図２】
2012008002.tif 000004
【図３】
2012008002.tif 000005
【図４】
2012008002.tif 000006
【図５】
2012008002.tif 000007
【図６】
2012008002.tif 000008
【図７】
2012008002.tif 000009
【図８】
2012008002.tif 000010